(57)【要約】【課題】カバー部材が熱膨張しても隙間が生じ難い照明器具を提供する。【解決手段】照明器具１００は、発光部１と、フレーム部材２と、カバー部材３と、第１カバー閉塞部材４ａと、第１押圧部材５ａとを備える。発光部１は、光を発光する。フレーム部材２に発光部１が取り付けられる。カバー部材３は、発光部１を覆う。カバー部材３は、第１方向Ｄ１に開放された第１カバー開口端３ａを有する。第１カバー閉塞部材４ａは、第１カバー開口端３ａを閉塞する第１カバー閉塞部４１ａを有する。第１カバー閉塞部材４ａは、第１方向Ｄ１及び第２方向Ｄ２にスライド自在にフレーム部材２に取り付けられる。第１押圧部材５ａは、弾性を有する。第１カバー閉塞部材４ａは、第１押圧部材５ａよりも第２方向Ｄ２側に位置して第１押圧部材５ａと対向する対向部４２１を有する。【選択図】図７
2020184492.tif 000002
【特許請求の範囲】
【請求項１】
光を発光する発光部と、
前記発光部が取り付けられるフレーム部材と、
第１方向に開放された第１カバー開口端を有し、前記発光部を覆うカバー部材と、
前記第１カバー開口端を閉塞する第１カバー閉塞部を有し、前記第１方向及び前記第１方向とは反対の第２方向にスライド自在に前記フレーム部材に取り付けられる第１カバー閉塞部材と、
弾性を有する第１押圧部材と
を備え、
前記第１カバー閉塞部材は、前記第１押圧部材よりも前記第２方向側に位置して前記第１押圧部材と対向する対向部を有する、照明器具。
【請求項２】
前記第１押圧部材は、前記カバー部材の前記第１方向への変形に応じて、前記第１カバー閉塞部材に前記第２方向への押圧力を付与する、請求項１に記載の照明器具。
【請求項３】
前記第１押圧部材は、前記カバー部材の前記第１方向への変形に応じて弾性変形する、請求項１又は請求項２に記載の照明器具。
【請求項４】
前記第１押圧部材の前記第１方向への移動を規制する規制部を更に備える、請求項１から請求項３のいずれか１項に記載の照明器具。
【請求項５】
前記第１カバー閉塞部材は、前記第１カバー閉塞部を支持する支持部を有し、
前記支持部は、前記対向部を有する、請求項４に記載の照明器具。
【請求項６】
前記規制部は、前記フレーム部材に締結される締結部材を有し、
前記支持部は、前記第１方向及び前記第２方向に延びる長穴を有し、
前記長穴は、前記フレーム部材に向かって前記支持部を貫通し、
前記締結部材は、前記長穴に挿通されて前記フレーム部材に締結される、請求項５に記載の照明器具。
【請求項７】
前記規制部は、前記第１押圧部材と対向する対向部材を更に有し、
前記第１押圧部材は、前記対向部と前記対向部材との間に配置され、
前記対向部材は、前記締結部材により前記フレーム部材に固定される、請求項６に記載の照明器具。
【請求項８】
前記対向部材は、
前記支持部に配置される本体部と、
前記本体部から突出するガイド部と
を有する、請求項７に記載の照明器具。
【請求項９】
前記フレーム部材を支持するベース部材を更に備え、
前記ベース部材は、前記第１方向に開放されたベース開口端を有し、
前記照明器具は、前記ベース開口端を閉塞するベース閉塞部を有するベース閉塞部材を更に備え、
前記ベース閉塞部材は、前記ガイド部を位置決めする位置決め部を有する、請求項８に記載の照明器具。
【請求項１０】
前記カバー部材は、前記第２方向に開放された第２カバー開口端を更に有し、
前記照明器具は、
前記第２カバー開口端を閉塞する第２カバー閉塞部を有し、前記第１方向及び前記第２方向にスライド自在に前記フレーム部材に取り付けられる第２カバー閉塞部材と、
弾性を有する第２押圧部材と
を更に備え、
前記第２カバー閉塞部材は、前記第２押圧部材よりも前記第１方向側に位置して前記第２押圧部材と対向する対向部を有する、請求項１から請求項９のいずれか１項に記載の照明器具。
【発明の詳細な説明】
【技術分野】
【０００１】
本発明は、照明器具に関する。
【背景技術】
【０００２】
光源モジュールを覆うカバーが熱膨張によって伸長する照明器具が知られている。例えば、特許文献１の照明装置は、矩形板状のフレームと、光源モジュールと、拡散カバーとを備える。光源モジュールは、フレームに設置される。拡散カバーは、光源モジュールを覆う。特許文献１の照明装置は更に、エンドキャップと、エンドカバーとを備える。エンドキャップは、フレームの端面に設置される。エンドカバーは、フレームの長手方向にスライド自在にエンドキャップに設置される。エンドカバーは、拡散カバーの端面を覆う。拡散カバーは、熱膨張すると、フレームの長手方向に伸長する。特許文献１の照明装置において、エンドカバーの位置は、拡散カバーが熱膨張することに応じて、フレームの長手方向に沿って変位する。
【先行技術文献】
【特許文献】
【０００３】
【特許文献１】特開２０１５−２１６１号公報
【発明の概要】
【発明が解決しようとする課題】
【０００４】
しかしながら、特許文献１の照明装置は、拡散カバー（カバー部材）が熱膨張してフレームの長手方向に伸長すると、エンドカバーとエンドキャップとの間に隙間が生じる。エンドカバーとエンドキャップとの間に隙間が生じると、その隙間から照明装置の内部に虫が侵入するおそれがある。
【０００５】
本発明は上記課題に鑑みてなされたものであり、その目的は、カバー部材が熱膨張しても隙間が生じ難い照明器具を提供することにある。
【課題を解決するための手段】
【０００６】
本願に開示する照明器具は、発光部と、フレーム部材と、カバー部材と、第１カバー閉塞部材と、第１押圧部材とを備える。前記発光部は、光を発光する。前記フレーム部材に前記発光部が取り付けられる。前記カバー部材は、前記発光部を覆う。前記カバー部材は、第１方向に開放された第１カバー開口端を有する。前記第１カバー閉塞部材は、前記第１カバー開口端を閉塞する第１カバー閉塞部を有する。前記第１カバー閉塞部材は、前記第１方向及び前記第１方向とは反対の第２方向にスライド自在に前記フレーム部材に取り付けられる。前記第１押圧部材は、弾性を有する。前記第１カバー閉塞部材は、前記第１押圧部材よりも前記第２方向側に位置して前記第１押圧部材と対向する対向部を有する。
【０００７】
本願に開示する照明器具において、前記第１押圧部材は、前記カバー部材の前記第１方向への変形に応じて、前記第１カバー閉塞部材に前記第２方向への押圧力を付与する。
【０００８】
本願に開示する照明器具において、前記第１押圧部材は、前記カバー部材の前記第１方向への変形に応じて弾性変形してもよい。
【０００９】
本願に開示する照明器具は、前記第１押圧部材の前記第１方向への移動を規制する規制部を更に備えてもよい。
【００１０】
本願に開示する照明器具において、前記第１カバー閉塞部材は、前記第１カバー閉塞部を支持する支持部を有してもよい。前記支持部は、前記対向部を有してもよい。
【００１１】
本願に開示する照明器具において、前記規制部は、前記フレーム部材に締結される締結部材を有してもよい。この場合、前記支持部は、前記第１方向及び前記第２方向に延び、且つ前記フレーム部材に向かって前記支持部を貫通する長穴を有してもよい。前記締結部材は、前記長穴に挿通されて前記フレーム部材に締結されてもよい。
【００１２】
本願に開示する照明器具において、前記規制部は、前記第１押圧部材と対向する対向部材を更に有してもよい。この場合、前記第１押圧部材は、前記対向部と前記対向部材との間に配置されてもよい。前記対向部材は、前記締結部材により前記フレーム部材に固定されてもよい。
【００１３】
本願に開示する照明器具において、前記対向部材は、前記支持部に配置される本体部を有してもよい。また、前記対向部材は、前記本体部から突出するガイド部を有してもよい。
【００１４】
本願に開示する照明器具は、前記フレーム部材を支持するベース部材と、ベース閉塞部材とを更に備えてもよい。この場合、前記ベース部材は、前記第１方向に開放されたベース開口端を有し、前記ベース閉塞部材は、前記ベース開口端を閉塞するベース閉塞部を有する。前記ベース閉塞部材は、前記ガイド部を位置決めする位置決め部を有してもよい。
【００１５】
本願に開示する照明器具は、第２カバー閉塞部材と、第２押圧部材とを更に備えてもよい。この場合、前記カバー部材は、前記第２方向に開放された第２カバー開口端を更に有する。前記第２カバー閉塞部材は、前記第２カバー開口端を閉塞する第２カバー閉塞部を有する。前記第２カバー閉塞部材は、前記第１方向及び前記第２方向にスライド自在に前記フレーム部材に取り付けられる。前記第２押圧部材は、弾性を有する。前記第２カバー閉塞部材は、前記第２押圧部材よりも前記第１方向側に位置して前記第２押圧部材と対向する対向部を有する。
【発明の効果】
【００１６】
本発明によれば、カバー部材が熱膨張しても隙間の発生を抑制することができる。
【図面の簡単な説明】
【００１７】
【図１】本発明の実施形態に係る照明器具を示す斜視図である。
【図２】本発明の実施形態に係る照明器具の分解斜視図である。
【図３】本発明の実施形態に係る光源ユニットの分解斜視図である。
【図４】本発明の実施形態に係る光源ユニットの右側の端部を示す斜視図である。
【図５】本発明の実施形態に係る第１ベース閉塞部材を示す斜視図である。
【図６】本発明の実施形態に係る照明器具の左側面を示す図である。
【図７】図６のＶＩＩ−ＶＩＩ線に沿った照明器具の断面を示す図である。
【図８】本発明の実施形態に係る第１ベース閉塞部材の左側面を示す図である。
【図９】図８のＩＸ−ＩＸ線に沿った第１ベース閉塞部材の断面を示す図である。
【図１０】本発明の実施形態に係る照明器具の左側の端部の断面を示す図である。
【図１１】（ａ）は、本発明の実施形態に係る照明器具の左側の端部を示す図である。（ｂ）は、図１１（ａ）のＸＩＢ−ＸＩＢ線に沿った照明器具の断面を示す図である。
【発明を実施するための形態】
【００１８】
以下、図面を参照して本発明の実施形態を説明する。ただし、本発明は以下の実施形態に限定されない。なお、説明が重複する箇所については、適宜説明を省略する場合がある。また、図中、同一又は相当部分については同一の参照符号を付して説明を繰り返さない。
【００１９】
まず図１を参照して、本実施形態の照明器具１００を説明する。図１は、本実施形態に係る照明器具１００を示す斜視図である。詳しくは、図１は、右斜め前の下方から見た照明器具１００を示す。
【００２０】
本実施形態の照明器具１００は、例えば、ベースライト、又は間接照明として使用される。また、本実施形態の照明器具１００は、例えば、天井面、又は壁面に設置される。あるいは、本実施形態の照明器具１００は、床面に設置されてもよい。天井面は、斜め天井面であってもよい。
【００２１】
図１に示すように、照明器具１００は、第１方向Ｄ１に第１端部１００ａを有する。また、照明器具１００は、第１方向Ｄ１とは反対の方向である第２方向Ｄ２に第２端部１００ｂを有する。照明器具１００は、第１方向Ｄ１及び第２方向Ｄ２に長い直方体形状を有する。
【００２２】
図１に示すように、照明器具１００は、光源ユニット２００と、ベースユニット３００とを備える。光源ユニット２００はベースユニット３００に取り付けられる。換言すると、ベースユニット３００は光源ユニット２００を支持する。光源ユニット２００は、光を出射する。
【００２３】
本実施形態では、発明の理解を容易にするため、ベースユニット３００が配置される側を「上側」とし、光源ユニット２００が配置される側を「下側」として、上下方向を規定する。また、第１端部１００ａが配置される側を「左側」とし、第２端部１００ｂが配置される側を「右側」として、左右方向を規定する。また、照明器具１００の第２端部１００ｂを正面から見て右側を「前側」とし、その反対側を「後側」として、前後方向を規定する。但し、これらの向きは、本発明の照明器具の製造時、施工時、及び使用時の向きを限定するものではない。なお、第１方向Ｄ１は左方向であり、第２方向Ｄ２は右方向である。
【００２４】
本実施形態では、照明器具１００が天井面Ｃ（図７）に設置される場合を例に照明器具１００を説明する。この場合、ベースユニット３００は天井面Ｃ（図７）に設置される。光源ユニット２００は、ベースユニット３００の下方に配置される。
【００２５】
光源ユニット２００は、第１方向Ｄ１（左方向）に第１光源ユニット端部２００ａを有する。ベースユニット３００は、第１方向Ｄ１（左方向）に第１ベースユニット端部３００ａを有する。第１光源ユニット端部２００ａ及び第１ベースユニット端部３００ａは、照明器具１００の第１端部１００ａを構成する。
【００２６】
また、光源ユニット２００は、第２方向Ｄ２（右方向）に第２光源ユニット端部２００ｂを有する。ベースユニット３００は、第２方向Ｄ２（右方向）に第２ベースユニット端部３００ｂを有する。第２光源ユニット端部２００ｂ及び第２ベースユニット端部３００ｂは、照明器具１００の第２端部１００ｂを構成する。
【００２７】
光源ユニット２００は、カバー部材３を有する。ベースユニット３００は、ベース部材３１０を有する。カバー部材３は、例えば、セード、又は拡散カバーである。カバー部材３及びベース部材３１０については、図２を参照して後述する。
【００２８】
続いて図２を参照して、本実施形態の照明器具１００を説明する。図２は、本実施形態に係る照明器具１００の分解斜視図である。詳しくは、図２は、右斜め前の下方から見た照明器具１００を示す。
【００２９】
まず、図２を参照して光源ユニット２００を説明する。図２に示すように、光源ユニット２００は、発光部１と、フレーム部材２と、カバー部材３と、第１カバー閉塞部材４ａと、第２カバー閉塞部材４ｂと、第１押圧部材５ａと、第２押圧部材５ｂとを有する。本実施形態の光源ユニット２００は、第１規制部６ａと、第２規制部６ｂとを更に有する。また、光源ユニット２００は、１つの端子台９と、１つの電源装置１０と、２つの取付金具１３とを有する。
【００３０】
発光部１は、光を発光する。本実施形態の発光部１は、第１発光モジュール１ａと、第２発光モジュール１ｂとを有する。第１発光モジュール１ａは、複数の光源１１と、配線基板１２とを有する。第２発光モジュール１ｂも同様に、複数の光源１１と、配線基板１２とを有する。
【００３１】
光源１１は、光を発光する。本実施形態の光源１１は、発光素子として、ＬＥＤ（Ｌｉｇｈｔ  Ｅｍｉｔｔｉｎｇ  Ｄｉｏｄｅ）素子を有する。より具体的には、光源１１は、例えば、ＳＭＤ（ｓｕｒｆａｃｅ  ｍｏｕｎｔ  ｄｅｖｉｃｅ）、又はＣＯＢ（ｃｈｉｐ  ｏｎ  ｂｏａｒｄ）である。
【００３２】
光源１１は、配線基板１２に実装される。本実施形態において、光源１１は、配線基板１２の下面に実装される。換言すると、配線基板１２は、光源１１が下側を向くように配置される。より具体的には、配線基板１２は、発光素子の発光面がカバー部材３の内面に対向するように配置される。配線基板１２には、配線が形成されている。配線基板１２の配線は、光源１１に電力を供給する。なお、第１発光モジュール１ａの配線基板１２と、第２発光モジュール１ｂの配線基板１２とは電気的に接続される。
【００３３】
配線基板１２は、第１方向Ｄ１及び第２方向Ｄ２（左右方向）に長い矩形形状を有する。第１発光モジュール１ａ及び第２発光モジュール１ｂは、第１方向Ｄ１及び第２方向Ｄ２に沿って並ぶように配置される。本実施形態において、第１発光モジュール１ａは、第２発光モジュール１ｂの左側に配置される。第２発光モジュール１ｂは、第１発光モジュール１ａの右側に配置される。
【００３４】
複数の光源１１は、第１方向Ｄ１及び第２方向Ｄ２（左右方向）に沿って１列に並ぶように配置される。但し、複数の光源１１の配列は１列に限定されない。複数の光源１１は、第１方向Ｄ１及び第２方向Ｄ２に沿って２列以上に並んでもよいし、第１方向Ｄ１及び第２方向Ｄ２に沿って千鳥状に並んでもよい。
【００３５】
フレーム部材２は、板状の部材であり、第１方向Ｄ１及び第２方向Ｄ２（左右方向）に長い矩形形状を有する。フレーム部材２には、発光部１が取り付けられる。より具体的には、発光部１は、光源１１が下側を向くようにフレーム部材２の下面に取り付けられる。発光部１は、例えば接着剤によってフレーム部材２に接着されてもよいし、ネジのような締結部材によってフレーム部材２に固定されてもよい。
【００３６】
フレーム部材２は、例えばアルミニウムのような金属製の部材であり得る。本実施形態において、フレーム部材２は金属製であり、発光部１のヒートシンクとして機能する。フレーム部材２は、例えば、押出成形法により成形される。押出成形法によりフレーム部材２を成形することにより、フレーム部材２の断面形状が、フレーム部材２の長手方向における一端から他端まで一定となる。
【００３７】
カバー部材３は、発光部１を覆う。より具体的には、カバー部材３は、フレーム部材２に取り付けられて、発光部１を下方から覆う。カバー部材３は、透明又は半透明であり、発光部１から発光された光を透過する。カバー部材３は、例えば、乳白色の半透明な材料からなる。
【００３８】
詳しくは、カバー部材３は、第１方向Ｄ１及び第２方向Ｄ２（左右方向）に長い直方体形状の筒体である。また、カバー部材３は、第１カバー開口端３ａと、第２カバー開口端３ｂとを有する。第１カバー開口端３ａは、第１方向Ｄ１（左方向）に開放された開口端であり、第２カバー開口端３ｂは、第２方向Ｄ２（右方向）に開放された開口端である。
【００３９】
カバー部材３の熱膨張係数は、フレーム部材２の熱膨張性係数よりも高い値を示す。したがって、発光部１から発生する熱に起因してカバー部材３が熱膨張すると、フレーム部材２の長手方向（左右方向）に沿ってカバー部材３が伸長する。より具体的には、カバー部材３が熱膨張すると、カバー部材３の第１カバー開口端３ａ側の端部（左側の端部）が第１方向Ｄ１へ伸長する（変形する）。一方、カバー部材３の第２カバー開口端３ｂ側の端部（右側の端部）は、カバー部材３が熱膨張すると、第２方向Ｄ２へ伸長する（変形する）。
【００４０】
カバー部材３は、例えば樹脂製である。カバー部材３が拡散カバーである場合、カバー部材３は、例えば、光拡散材料を含有した樹脂を成形することによって形成してもよい。あるいは、カバー部材３は、透明な樹脂で成形した樹脂成形品の表面に光拡散処理を施して形成してもよい。ここで、光拡散処理は、例えば、微小凹凸形成処理、及び透光白色塗装処理を含む。微小凹凸形成処理は、樹脂成形品の表面に微小な凹凸を形成する処理である。透光白色塗装処理は、透光性を有する乳白色塗料を樹脂成形品の表面に塗装する処理である。
【００４１】
第１カバー閉塞部材４ａは、第１カバー閉塞部４１ａを有する。第１カバー閉塞部４１ａは、第１カバー開口端３ａを閉塞して、図１を参照して説明した第１光源ユニット端部２００ａを構成する。本実施形態において、第１カバー閉塞部４１ａを左側から見た外形寸法は、第１カバー開口端３ａの外形寸法と略同一である。第１カバー閉塞部４１ａを左側から見た外形寸法と、第１カバー開口端３ａの外形寸法とが略同一であることにより、カバー部材３と第１カバー閉塞部４１ａとの一体感を得ることができる。第１カバー閉塞部４１ａは、例えば、合成樹脂製である。
【００４２】
同様に、第２カバー閉塞部材４ｂは、第２カバー閉塞部４１ｂを有する。第２カバー閉塞部４１ｂは、第２カバー開口端３ｂを閉塞して、図１を参照して説明した第２光源ユニット端部２００ｂを構成する。本実施形態において、第２カバー閉塞部４１ｂを右側から見た外形寸法は、第２カバー開口端３ｂの外形寸法と略同一である。第２カバー閉塞部４１ｂを右側から見た外形寸法と、第２カバー開口端３ｂの外形寸法とが略同一であることにより、カバー部材３と第２カバー閉塞部４１ｂとの一体感を得ることができる。第２カバー閉塞部４１ｂは、例えば、合成樹脂製である。
【００４３】
第１カバー閉塞部４１ａ及び第２カバー閉塞部４１ｂは、カバー部材３と同色であってもよい。第１カバー閉塞部４１ａ及び第２カバー閉塞部４１ｂは、例えば、乳白色の半透明な材料からなる。第１カバー閉塞部４１ａ及び第２カバー閉塞部４１ｂと、カバー部材３とが同色であることにより、カバー部材３と、第１カバー閉塞部４１ａと、第２カバー閉塞部４１ｂとの一体感を得ることができる。
【００４４】
第１カバー閉塞部４１ａ及び第２カバー閉塞部４１ｂは、発光部１から発光された光を拡散してもよい。この場合、第１カバー閉塞部４１ａ及び第２カバー閉塞部４１ｂは、例えば、光拡散材料を含有した樹脂を成形することによって形成してもよい。あるいは、第１カバー閉塞部４１ａ及び第２カバー閉塞部４１ｂは、透明な樹脂で成形した樹脂成形品の表面又は裏面に光拡散処理を施して形成してもよい。
【００４５】
カバー部材３が拡散カバーである場合、第１カバー閉塞部４１ａ及び第２カバー閉塞部４１ｂの拡散率が、カバー部材３の拡散率と略同一となるように、第１カバー閉塞部４１ａ及び第２カバー閉塞部４１ｂを形成してもよい。第１カバー閉塞部４１ａ及び第２カバー閉塞部４１ｂの拡散率と、カバー部材３の拡散率とを略同一とすることにより、照明器具１００の点灯時に、カバー部材３と、第１カバー閉塞部４１ａと、第２カバー閉塞部４１ｂとの一体感を得ることができる。
【００４６】
第１カバー閉塞部４１ａは、カバー部材３の第１カバー開口端３ａ側の端部（左側の端部）が第１方向Ｄ１へ伸長すると、第１方向Ｄ１へ押圧される。同様に、第２カバー閉塞部４１ｂは、カバー部材３の第２カバー開口端３ｂ側の端部（右側の端部）が第２方向Ｄ２へ伸長すると、第２方向Ｄ２へ押圧される。
【００４７】
第１カバー閉塞部材４ａは、第１方向Ｄ１及び第２方向Ｄ２（左右方向）にスライド自在にフレーム部材２に取り付けられる。したがって、カバー部材３が熱膨張して、第１カバー閉塞部４１ａが第１方向Ｄ１へ押圧されると、第１カバー閉塞部材４ａは第１方向Ｄ１へ移動する。換言すると、第１カバー閉塞部材４ａの位置が第１方向Ｄ１へ変位する。
【００４８】
同様に、第２カバー閉塞部材４ｂは、第１方向Ｄ１及び第２方向Ｄ２（左右方向）にスライド自在にフレーム部材２に取り付けられる。したがって、カバー部材３が熱膨張して、第２カバー閉塞部４１ｂが第２方向Ｄ２へ押圧されると、第２カバー閉塞部材４ｂは第２方向Ｄ２へ移動する。換言すると、第２カバー閉塞部材４ｂの位置が第２方向Ｄ２へ変位する。
【００４９】
第１押圧部材５ａは、弾性を有する。第１押圧部材５ａは、カバー部材３の第１方向Ｄ１への変形に応じて、第１カバー閉塞部材４ａに第２方向Ｄ２への押圧力を付与する。詳しくは、カバー部材３が熱膨張して、第１カバー閉塞部材４ａが第１方向Ｄ１（左側）へ移動すると、第１押圧部材５ａは圧縮変形する。具体的には、第１押圧部材５ａは弾性変形する。したがって、第１押圧部材５ａは元の形状に戻ろうとする。その結果、第１押圧部材５ａの元の形状に戻ろうとする力により、第１カバー閉塞部材４ａに第２方向Ｄ２への押圧力が付与される。
【００５０】
同様に、第２押圧部材５ｂは、弾性を有する。第２押圧部材５ｂは、カバー部材３の第２方向Ｄ２への変形に応じて、第２カバー閉塞部材４ｂに第１方向Ｄ１への押圧力を付与する。詳しくは、カバー部材３が熱膨張して、第２カバー閉塞部材４ｂが第２方向Ｄ２（右側）へ移動すると、第２押圧部材５ｂは圧縮変形する。具体的には、第２押圧部材５ｂは弾性変形する。したがって、第２押圧部材５ｂは元の形状に戻ろうとする。その結果、第２押圧部材５ｂの元の形状に戻ろうとする力により、第２カバー閉塞部材４ｂに第１方向Ｄ１への押圧力が付与される。
【００５１】
第１規制部６ａは、カバー部材３の熱膨張時に、第１押圧部材５ａの第１方向Ｄ１（左側）への移動を規制する。したがって、本実施形態によれば、カバー部材３の熱膨張時に、より確実に第１押圧部材５ａが弾性変形する。
【００５２】
具体的には、本実施形態の第１規制部６ａは、第１対向部材７ａと、第１締結部材８ａとを有する。第１対向部材７ａは、第１押圧部材５ａに対向する。詳しくは、第１対向部材７ａは、第１押圧部材５ａよりも第１カバー閉塞部４１ａに近い位置に配置されて、第１押圧部材５ａと対向する。第１締結部材８ａは、フレーム部材２に締結されて、第１対向部材７ａを固定する。第１対向部材７ａがフレーム部材２に対して固定されることにより、第１押圧部材５ａの第１方向Ｄ１への移動をより確実に規制することができる。
【００５３】
同様に、第２規制部６ｂは、カバー部材３の熱膨張時に、第２押圧部材５ｂの第２方向Ｄ２（右側）への移動を規制する。したがって、本実施形態によれば、カバー部材３の熱膨張時に、より確実に第２押圧部材５ｂが弾性変形する。
【００５４】
具体的には、本実施形態の第２規制部６ｂは、第２対向部材７ｂと、第２締結部材８ｂとを有する。第２対向部材７ｂは、第２押圧部材５ｂに対向する。詳しくは、第２対向部材７ｂは、第２押圧部材５ｂよりも第２カバー閉塞部４１ｂに近い位置に配置されて、第２押圧部材５ｂと対向する。第２締結部材８ｂは、フレーム部材２に締結されて、第２対向部材７ｂを固定する。第２対向部材７ｂがフレーム部材２に対して固定されることにより、第２押圧部材５ｂの第２方向Ｄ２への移動をより確実に規制することができる。
【００５５】
端子台９は、フレーム部材２に固定される。より具体的には、端子台９はフレーム部材２の上面に固定される。端子台９には、照明器具１００の外部から照明器具１００の内部に引き込まれる外部電力線（図示せず）の一端が接続される。外部電力線（図示せず）は、例えば、光源ユニット２００をベースユニット３００に取り付ける前に、端子台９に接続される。
【００５６】
電源装置１０は、フレーム部材２に固定される。より具体的には、電源装置１０はフレーム部材２の上面に固定される。電源装置１０は、内部電力線１４（図１１）を介して端子台９と接続している。外部電力線（図示せず）を伝送する交流電圧は、端子台９を介して内部電力線１４（図１１）に通電される。内部電力線１４（図１１）は、交流電圧を電源装置１０に伝送する。電源装置１０は、交流電圧から、光源１１を発光させる電力を生成する。本実施形態の電源装置１０は、交流電圧から、ＬＥＤ素子を発光させる直流電圧を生成する。
【００５７】
取付金具１３は、フレーム部材２に固定される。より具体的には、取付金具１３はフレーム部材２の上面に固定される。取付金具１３は、光源ユニット２００をベースユニット３００に取り付けるための部材である。取付金具１３は、例えば板バネのような弾性部材を有する。本実施形態において、２つの取付金具１３の一方は、電源装置１０の左側に配置され、２つの取付金具１３の他方は、電源装置１０の右側に配置される。換言すると、２つの取付金具１３は、電源装置１０を挟むように配置される。
【００５８】
続いて、図２を参照してベースユニット３００を説明する。図２に示すように、ベースユニット３００は、ベース部材３１０と、２つの保持金具３２０と、第１ベース閉塞部材３３０ａと、第２ベース閉塞部材３３０ｂとを有する。
【００５９】
ベース部材３１０は、光源ユニット２００を支持する。具体的には、ベース部材３１０は、取付金具１３を介してフレーム部材２を支持する。換言すると、フレーム部材２は、取付金具１３を介してベース部材３１０に取り付けられる。
【００６０】
詳しくは、ベース部材３１０は、第１方向Ｄ１及び第２方向Ｄ２（左右方向）に長い直方体形状の筒体である。ベース部材３１０の下面３１０ｃは開放されている。具体的には、ベース部材３１０の下面３１０ｃは、第１方向Ｄ１及び第２方向Ｄ２（左右方向）に延びる開口を有する。下面３１０ｃの開口は、ベース部材３１０の長手方向における一端から他端にわたって設けられる。下面３１０ｃの開口は、ベース部材３１０の内側空間と外側空間とを連通させる。ベース部材３１０は、例えば、押出成形法により成形される。押出成形法によりベース部材３１０を成形することにより、ベース部材３１０の断面形状が、ベース部材３１０の長手方向における一端から他端まで一定となる。
【００６１】
保持金具３２０は、ベース部材３１０の内側空間において、取付金具１３に対応する位置に配置される。保持金具３２０は、取付金具１３を保持するための部材である。保持金具３２０は、例えば板バネのような弾性部材を有する。
【００６２】
作業者は、光源ユニット２００をベース部材３１０に取り付ける際に、取付金具１３を保持金具３２０に係合させて、保持金具３２０に取付金具１３を保持させる。その結果、ベース部材３１０（ベースユニット３００）が光源ユニット２００を支持する。なお、取付金具１３の前後方向の寸法は、光源ユニット２００をベース部材３１０に取り付ける際に、ベース部材３１０の下面３１０ｃの開口を取付金具１３が通過可能な寸法であればよい。
【００６３】
本実施形態によれば、光源ユニット２００が、弾性力により、ベース部材３１０に取り付けられる。したがって、光源ユニット２００はベース部材３１０に対して着脱自在である。光源ユニット２００がベース部材３１０に対して着脱自在であることにより、光源ユニット２００の交換が容易となる。例えば、仕様が異なる光源ユニット２００に交換することができる。また、光源ユニット２００が故障した際に、光源ユニット２００をベース部材３１０から取り外して修理し、修理後の光源ユニット２００をベース部材３１０に取り付けることが可能となる。なお、光源ユニットとベース部材とを分離できない照明器具の場合、光源ユニットを交換又は修理するには照明器具一式を天井面から取り外す必要がある。照明器具を天井面から取り外すには、照明器具を天井面に固定しているビスをドライバーで外す必要がある。したがって、光源ユニットを交換する作業及び光源ユニットを修理する作業は非常に煩雑である。本実施形態によれば、光源ユニット２００の交換又は修理を行う際にベース部材３１０を天井面から取り外す必要がないため、ドライバー等を用いずに、光源ユニットを交換する作業及び光源ユニットを修理する作業を行うことができる。したがって、作業が容易となる。
【００６４】
また、本実施形態によれば、保持金具３２０がベース部材３１０の内側空間に配置されるため、電源装置１０は、ベース部材３１０の内側空間に配置される。したがって、照明器具１００の低背化を図ることができる。
【００６５】
ベース部材３１０は、第１ベース開口端３１０ａと、第２ベース開口端３１０ｂとを有する。第１ベース開口端３１０ａは、第１方向Ｄ１（左方向）に開放された開口端であり、第２ベース開口端３１０ｂは、第２方向Ｄ２（右方向）に開放された開口端である。
【００６６】
第１ベース閉塞部材３３０ａは、第１ベース閉塞部３３１ａを有する。第１ベース閉塞部３３１ａは、第１ベース開口端３１０ａを閉塞して、図１を参照して説明した第１ベースユニット端部３００ａを構成する。同様に、第２ベース閉塞部材３３０ｂは、第２ベース閉塞部３３１ｂを有する。第２ベース閉塞部３３１ｂは、第２ベース開口端３１０ｂを閉塞して、図１を参照して説明した第２ベースユニット端部３００ｂを構成する。
【００６７】
より具体的には、第１ベース閉塞部材３３０ａは、第１嵌入部３４０ａを有する。第１嵌入部３４０ａは、第１ベース閉塞部３３１ａから第２方向Ｄ２（右方向）に延びる。第１嵌入部３４０ａは、第１ベース開口端３１０ａからベース部材３１０の内側空間に収納される。第１嵌入部３４０ａがベース部材３１０の内側空間に収納されることにより、第１ベース閉塞部３３１ａが第１ベース開口端３１０ａに配置されて、第１ベース開口端３１０ａを閉塞する。
【００６８】
同様に、第２ベース閉塞部材３３０ｂは、第２嵌入部３４０ｂを有する。第２嵌入部３４０ｂは、第２ベース閉塞部３３１ｂから第１方向Ｄ１（左方向）に延びる。第２嵌入部３４０ｂは、第２ベース開口端３１０ｂからベース部材３１０の内側空間に収納される。第２嵌入部３４０ｂがベース部材３１０の内側空間に収納されることにより、第２ベース閉塞部３３１ｂが第２ベース開口端３１０ｂに配置されて、第２ベース開口端３１０ｂを閉塞する。
【００６９】
なお、端子台９の前後方向の寸法は、光源ユニット２００をベース部材３１０に取り付ける際に、ベース部材３１０の下面３１０ｃの開口を端子台９が通過可能な寸法であればよい。同様に、電源装置１０の前後方向の寸法は、光源ユニット２００をベース部材３１０に取り付ける際に、ベース部材３１０の下面３１０ｃの開口を電源装置１０が通過可能な寸法であればよい。
【００７０】
続いて、図３を参照して光源ユニット２００を更に説明する。図３は、本実施形態に係る光源ユニット２００の分解斜視図である。詳しくは、図３は、右斜め前の上方から見た光源ユニット２００の右側の端部を示す。
【００７１】
図３に示すように、カバー部材３の上壁３１は、第１方向Ｄ１及び第２方向Ｄ２に延びるスリット３ｃを有する。スリット３ｃは、図２を参照して説明した発光部１に対応する位置に形成される。カバー部材３がスリット３ｃを有することにより、カバー部材３と発光部１とが干渉することを防ぐことができる。
【００７２】
図３に示すように、フレーム部材２の前側の縁部２１は、上下方向に突出する形状を有する。フレーム部材２の後側の縁部２２も同様に、上下方向に突出する形状を有する。カバー部材３は、第１係合部３２と、第２係合部３３とを有する。第１係合部３２及び第２係合部３３は、第１方向Ｄ１及び第２方向Ｄ２に延びる。
【００７３】
第１係合部３２は、フレーム部材２の前側の縁部２１と係合する。第２係合部３３は、フレーム部材２の後側の縁部２２と係合する。カバー部材３の第１係合部３２及び第２係合部３３がそれぞれフレーム部材２の前側の縁部２１及び後側の縁部２２と係合することにより、カバー部材３がフレーム部材２に取り付けられる。具体的には、第１係合部３２がフレーム部材２の前側の縁部２１によって支持され、第２係合部３３がフレーム部材２の後側の縁部２２によって支持される。
【００７４】
詳しくは、第１係合部３２は、カバー部材３の上壁３１と共に第１係合空間Ｓ１を形成する。第２係合部３３は、カバー部材３の上壁３１と共に第２係合空間Ｓ２を形成する。第１係合空間Ｓ１は、フレーム部材２の前側の縁部２１を収容する。第２係合空間Ｓ２は、フレーム部材２の後側の縁部２２を収容する。
【００７５】
フレーム部材２の前側の縁部２１が第１係合空間Ｓ１に収容されると、カバー部材３の上壁３１及び第１係合部３２によってフレーム部材２の前側の縁部２１が囲まれる。同様に、フレーム部材２の後側の縁部２２が第２係合空間Ｓ２に収容されると、カバー部材３の上壁３１及び第２係合部３３によってフレーム部材２の後側の縁部２２が囲まれる。この結果、カバー部材３がフレーム部材２に取り付けられる。
【００７６】
より具体的には、第１係合部３２は、屈曲部３２ａを有する。屈曲部３２ａは、フレーム部材２の前側の縁部２１の上部を前側から後側にわたって覆う。同様に、第２係合部３３は、屈曲部３３ａを有する。屈曲部３３ａは、フレーム部材２の後側の縁部２２の上部を後側から前側にわたって覆う。
【００７７】
第１係合部３２が屈曲部３２ａを有することにより、カバー部材３の上壁３１及び第１係合部３２によってフレーム部材２の前側の縁部２１を前後方向及び上下方向から囲むことができる。同様に、第２係合部３３が屈曲部３３ａを有することにより、カバー部材３の上壁３１及び第２係合部３３によってフレーム部材２の後側の縁部２２を前後方向及び上下方向から囲むことができる。
【００７８】
図３に示すように、フレーム部材２は、溝２３を有する。本実施形態のフレーム部材２は、２本の溝２３を有する。溝２３は、フレーム部材２の上面に、フレーム部材２の長手方向における一端から他端にわたって形成される。溝２３に、内部電力線１４（図１１）が収納される。
【００７９】
続いて図３及び図４を参照して、第２カバー閉塞部材４ｂ、第２押圧部材５ｂ、第２対向部材７ｂ、及び第２締結部材８ｂについて説明する。図４は、本実施形態に係る光源ユニット２００の右側の端部を示す斜視図である。詳しくは、図４は、右斜め前の上方から見た光源ユニット２００の右側の端部を示す。
【００８０】
図３に示すように、第２カバー閉塞部材４ｂは支持部４２を有する。第２カバー閉塞部材４ｂの支持部４２は、第２カバー閉塞部４１ｂから左方向に延びる。第２カバー閉塞部材４ｂの支持部４２は、第２カバー閉塞部４１ｂを支持する。
【００８１】
支持部４２は、第１方向Ｄ１及び第２方向Ｄ２（左右方向）に延びる長穴４２Ｈを有する。長穴４２Ｈは、上下方向に支持部４２を貫通する。換言すると、長穴４２Ｈは、フレーム部材２に向かって支持部４２を貫通する。
【００８２】
第２対向部材７ｂは、貫通穴７Ｈを有する。貫通穴７Ｈは、上下方向に第２対向部材７ｂを貫通する。換言すると、貫通穴７Ｈは、フレーム部材２に向かって第２対向部材７ｂを貫通する。具体的には、本実施形態の第２対向部材７ｂは、本体部７１を有する。貫通穴７Ｈは本体部７１に形成される。
【００８３】
第２締結部材８ｂは、貫通穴７Ｈ及び長穴４２Ｈに挿通されて、フレーム部材２に締結される。その結果、図４に示すように、第２対向部材７ｂが支持部４２に配置される。
【００８４】
具体的には、第２対向部材７ｂの本体部７１が、支持部４２の上面に配置される。また、第２対向部材７ｂは、第２締結部材８ｂにより、フレーム部材２に対して固定される。したがって、支持部４２がフレーム部材２と第２対向部材７ｂの本体部７１とに挟まれて、第２カバー閉塞部材４ｂがフレーム部材２に取り付けられる。
【００８５】
本実施形態によれば、第２締結部材８ｂが支持部４２の長穴４２Ｈに挿通されるため、第２カバー閉塞部材４ｂは、第１方向Ｄ１及び第２方向Ｄ２（左右方向）にスライド自在にフレーム部材２に取り付けられる。また、本実施形態によれば、第２対向部材７ｂがフレーム部材２に対して固定されるため、第２カバー閉塞部材４ｂの位置が略決まる。具体的には、第２対向部材７ｂがフレーム部材２に対して固定されることにより、第２カバー閉塞部材４ｂの移動量（スライド量）が制限される。したがって、第２カバー閉塞部材４ｂのスライドによってカバー部材３が第１方向Ｄ１及び第２方向Ｄ２（左右方向）へ大きく移動することを規制することができる。その結果、カバー部材３がフレーム部材２から離脱することを防ぐことができる。
【００８６】
図３に示すように、支持部４２は、上方に突出する第１凸部４２１を有する。第１凸部４２１は、支持部４２の第２カバー閉塞部４１ｂから遠い側の端部（左側の端部）に形成される。図４に示すように、第２押圧部材５ｂは、支持部４２の上面に配置される。具体的には、第２押圧部材５ｂは、第１凸部４２１の第２方向Ｄ２側（右側）に配置される。したがって、第１凸部４２１は、第２押圧部材５ｂよりも第１方向Ｄ１側に位置して第２押圧部材５ｂと対向する。第１凸部４２１は、対向部の一例である。
【００８７】
本実施形態によれば、カバー部材３が熱膨張して、第２カバー閉塞部材４ｂが第２方向Ｄ２へ移動すると、第１凸部４２１が第２押圧部材５ｂに押圧力を付与する。したがって、カバー部材３の熱膨張時に、より確実に第２押圧部材５ｂを弾性変形させることができる。
【００８８】
また、本実施形態では、図４に示すように、第２押圧部材５ｂは第１凸部４２１と第２対向部材７ｂの本体部７１との間に配置される。具体的には、第２押圧部材５ｂは、第２対向部材７ｂの第１方向Ｄ１側（左側）に配置される。第２対向部材７ｂは、第２押圧部材５ｂの第２方向Ｄ２への移動を規制するため、カバー部材３の熱膨張時に、第１凸部４２１から第２押圧部材５ｂに押圧力をより確実に付与することができる。したがって、カバー部材３の熱膨張時に、より確実に第２押圧部材５ｂを弾性変形させることができる。
【００８９】
詳しくは、図３に示すように、支持部４２は、上方に突出する第２凸部４２２を更に有する。第２凸部４２２は、支持部４２の第２カバー閉塞部４１ｂに近い側の端部（右側の端部）に形成される。長穴４２Ｈは、第１凸部４２１と第２凸部４２２との間で、第１方向Ｄ１及び第２方向Ｄ２に延びる。
【００９０】
第１凸部４２１及び第２凸部４２２は、第１方向Ｄ１及び第２方向Ｄ２（左右方向）において互いに対向する。第２カバー閉塞部材４ｂにおいて、第１凸部４２１は、第２凸部４２２よりも左側に設けられる。第２凸部４２２は、第１凸部４２１よりも右側に設けられる。換言すると、第２カバー閉塞部材４ｂにおいて、第１凸部４２１は、第２凸部４２２よりも第２カバー閉塞部４１ｂに近い位置に設けられる。第２凸部４２２は、第１凸部４２１よりも第２カバー閉塞部４１ｂから遠い位置に設けられる。
【００９１】
第１凸部４２１と第２凸部４２２との間の距離Ｌ１は、第１方向Ｄ１及び第２方向Ｄ２（左右方向）における第２対向部材７ｂの本体部７１の長さＬ２よりも長い。したがって、図４に示すように、第１凸部４２１と第２凸部４２２との間に、第２押圧部材５ｂ及び第２対向部材７ｂを配置することができる。
【００９２】
具体的には、第２対向部材７ｂの本体部７１は、第２押圧部材５ｂと第２凸部４２２との間に配置される。第２押圧部材５ｂは、第２対向部材７ｂの本体部７１と第１凸部４２１との間に配置される。換言すると、第２カバー閉塞部材４ｂにおいて、第２対向部材７ｂは、第２押圧部材５ｂよりも第２カバー閉塞部４１ｂに近い位置に設けられる。第２押圧部材５ｂは、第２対向部材７ｂよりも第２カバー閉塞部４１ｂから遠い位置に設けられる。
【００９３】
本実施形態において、第２押圧部材５ｂは、樹脂製の弾性部材である。第２押圧部材５ｂは、例えばシリコーンゴムからなる。第２押圧部材５ｂは、第２対向部材７ｂの本体部７１と第１凸部４２１との間に弾性変形した状態で配置される。したがって、第２押圧部材５ｂは、第２対向部材７ｂの本体部７１を第２方向Ｄ２（右方向）へ押圧し、支持部４２の第２凸部４２２を第１方向Ｄ１（左方向）へ押圧する。
【００９４】
なお、本実施形態において、第１凸部４２１は、支持部４２の第２カバー閉塞部４１ｂから遠い側の端部に形成されたが、第１凸部４２１の位置は、第２押圧部材５ｂと対向できる限り、特に限定されない。
【００９５】
また、本実施形態において、第２凸部４２２は、支持部４２の第２カバー閉塞部４１ｂに近い側の端部に形成されたが、第２凸部４２２の位置は、第１凸部４２１と第２凸部４２２との間に第２押圧部材５ｂ及び第２対向部材７ｂを配置できる限り、特に限定されない。
【００９６】
続いて図３及び図４を参照して、第２カバー閉塞部材４ｂ、及びフレーム部材２について更に説明する。図３に示すように、本実施形態の支持部４２は、前方に突出する第１係合突起４２３ａと、後方に突出する第２係合突起４２３ｂとを更に有する。第１係合突起４２３ａ及び第２係合突起４２３ｂは、支持部４２の右側の端部（第２カバー閉塞部４１ｂに近い側の端部）に設けられる。また、第１係合突起４２３ａ及び第２係合突起４２３ｂは、第２カバー閉塞部４１ｂの上方に設けられる。
【００９７】
第１係合突起４２３ａ及び第２係合突起４２３ｂは、第１係合空間Ｓ１及び第２係合空間Ｓ２の第２カバー開口端３ｂ側（右側）の端部に配置される。その結果、図４に示すように、第１係合突起４２３ａ及び第２係合突起４２３ｂは、カバー部材３の第１係合部３２及び第２係合部３３と係合する。
【００９８】
続いて、図４を参照して端子台９を説明する。図４に示すように、端子台９は、接続部９１を有する。接続部９１には、外部電力線（図示せず）の一端が接続される。また、図４に示すように、接続部９１の周辺は他の部材で覆われない。換言すると、接続部９１は露出している。具体的には、接続部９１は、第１係合部３２の上端及び第２係合部３３の上端よりも高い位置に配置される。
【００９９】
本実施形態によれば、接続部９１が露出しているため、接続部９１に外部電力線（図示せず）の一端を接続する作業中に、作業者の手が他の部材に干渉し難い。よって、接続部９１に外部電力線（図示せず）の一端を接続する作業が容易となる。
【０１００】
また、端子台９は、接続部９１が露出する状態でフレーム部材２に固定される。したがって、端子台９に接続された外部電力線（図示せず）が仮吊りワイヤーの代わりとなる。その結果、仮吊りワイヤーが不要となるため、照明器具１００の施工時の作業工数を削減することができる。また、部品点数を削減することができる。
【０１０１】
また、端子台９は、図３を参照して説明した溝２３の一部に重なるようにフレーム部材２の上面に配置される。その結果、溝２３に収納された内部電力線１４（図１１）が溝２３から離脱し難くなる。また、内部電力線１４（図１１）が溝２３から離脱し難くなることから、光源ユニット２００をベースユニット３００に取り付ける際に、撓んだ内部電力線１４（図１１）が光源ユニット２００とベースユニット３００との間に挟まれ難くなる。
【０１０２】
以上、図３及び図４を参照して、光源ユニット２００の右側の端部の構成を説明した。なお、光源ユニット２００の左側の端部の構成は、光源ユニット２００の右側の端部の構成と同様であるため、その説明は省略する。
【０１０３】
なお、本実施形態によれば、第１対向部材７ａがフレーム部材２に対して固定されるため、第１カバー閉塞部材４ａの位置が略決まる。具体的には、第１対向部材７ａがフレーム部材２に対して固定されることにより、第１カバー閉塞部材４ａの移動量（スライド量）が制限される。したがって、第１カバー閉塞部材４ａのスライドによってカバー部材３が第１方向Ｄ１及び第２方向Ｄ２（左右方向）へ大きく移動することを規制することができる。その結果、カバー部材３がフレーム部材２から離脱することを防ぐことができる。
【０１０４】
また、電源装置１０は、端子台９と同様に、図３を参照して説明した溝２３の一部に重なるようにフレーム部材２の上面に配置される。したがって、溝２３に収納された内部電力線１４（図１１）が溝２３から離脱し難くなる。
【０１０５】
取付金具１３も同様に、図３を参照して説明した溝２３の一部に重なるようにフレーム部材２の上面に配置される。したがって、溝２３に収納された内部電力線１４（図１１）が溝２３から離脱し難くなる。
【０１０６】
続いて図５を参照して、本実施形態の第１ベース閉塞部材３３０ａを説明する。図５は、本実施形態に係る第１ベース閉塞部材３３０ａを示す斜視図である。詳しくは、図５は、右斜め前の下方から見た第１ベース閉塞部材３３０ａを示す。
【０１０７】
図５に示すように、第１ベース閉塞部材３３０ａは、収容空間Ｓ３を有する。具体的には、第１嵌入部３４０ａが、上壁３４１と、前壁３４２と、後壁３４３とを有する。第１嵌入部３４０ａ（第１ベース閉塞部材３３０ａ）の下面３４４及び右側面３４５は開放されている。収容空間Ｓ３は、第１ベース閉塞部３３１ａ、上壁３４１、前壁３４２、及び後壁３４３によって区画される空間である。なお、第２ベース閉塞部材３３０ｂは、第１ベース閉塞部材３３０ａと同様の構成を有するため、その説明は省略する。
【０１０８】
続いて図６及び図７を参照して、本実施形態の照明器具１００を更に説明する。図６は、本実施形態に係る照明器具１００の左側面を示す図である。図７は、図６のＶＩＩ−ＶＩＩ線に沿った照明器具１００の断面を示す図である。詳しくは、図７は、照明器具１００の左側の端部の断面を示す。
【０１０９】
図７に示すように、光源ユニット２００がベースユニット３００に取り付けられると、第１カバー閉塞部材４ａの支持部４２と、第１押圧部材５ａと、第１対向部材７ａとが、第１ベース閉塞部材３３０ａの収容空間Ｓ３に収容される。
【０１１０】
図２を参照して説明したように、発光部１から発生する熱に起因してカバー部材３が熱膨張すると、カバー部材３は第１方向Ｄ１及び第２方向Ｄ２（左右方向）に沿って伸長する。具体的には、カバー部材３の左側の端部が第１方向Ｄ１へ伸長し、カバー部材３の右側の端部が第２方向Ｄ２へ伸長する。その後、カバー部材３の温度が低下すると、カバー部材３は第１方向Ｄ１及び第２方向Ｄ２（左右方向）に沿って収縮する。具体的には、カバー部材３の左側の端部は第２方向Ｄ２へ収縮し、カバー部材３の右側の端部は第１方向Ｄ１へ収縮する。
【０１１１】
カバー部材３の左側の端部が第１方向Ｄ１へ伸長すると、第１カバー閉塞部材４ａが第１方向Ｄ１へ移動する。第１カバー閉塞部材４ａの支持部４２が有する第１凸部４２１は、第１押圧部材５ａよりも第２方向Ｄ２側に位置して第１押圧部材５ａと対向する。したがって、第１カバー閉塞部材４ａが第１方向Ｄ１へ移動すると、支持部４２の第１凸部４２１が第１方向Ｄ１へ第１押圧部材５ａを押圧する。その結果、第１押圧部材５ａが圧縮変形する。第１押圧部材５ａは弾性を有するため、圧縮変形すると元の形状に戻ろうとする。その結果、第１押圧部材５ａから支持部４２の第１凸部４２１に対して第２方向Ｄ２への押圧力が付与される。
【０１１２】
その後、カバー部材３の温度が低下すると、カバー部材３の左側の端部が第２方向Ｄ２へ収縮する。本実施形態によれば、カバー部材３が熱膨張した後に、カバー部材３が収縮する際、第１押圧部材５ａから第１カバー閉塞部材４ａに対して第２方向Ｄ２への押圧力が付与される。したがって、カバー部材３の左側の端部の第２方向Ｄ２への収縮に応じて、第１カバー閉塞部材４ａが第２方向Ｄ２へ移動するため、カバー部材３の第１カバー開口端３ａと第１カバー閉塞部４１ａとの間に隙間が生じ難い。
【０１１３】
同様に、カバー部材３が収縮する際、第２押圧部材５ｂから第２カバー閉塞部材４ｂに対して第１方向Ｄ１への押圧力が付与される。したがって、カバー部材３の右側の端部の第１方向Ｄ１への収縮に応じて、第２カバー閉塞部材４ｂが第１方向Ｄ１へ移動するため、カバー部材３の第２カバー開口端３ｂと第２カバー閉塞部４１ｂとの間に隙間が生じ難い。
【０１１４】
以上、図１〜図７を参照して本実施形態を説明した。本実施形態によれば、カバー部材３が熱膨張しても隙間の発生を抑制することができる。詳しくは、カバー部材３が熱膨張しても、第１カバー開口端３ａと第１カバー閉塞部４１ａとの間、及び、第２カバー開口端３ｂと第２カバー閉塞部４１ｂとの間に隙間が生じ難い。したがって、照明器具１００の内部に虫などが侵入することを抑制することができる。
【０１１５】
また、本実施形態によれば、接着剤を使用することなく、第１カバー開口端３ａを第１カバー閉塞部４１ａによって閉塞することができる。同様に、接着剤を使用することなく、第２カバー開口端３ｂを第２カバー閉塞部４１ｂによって閉塞することができる。したがって、光源ユニット２００の製造時に、接着剤を乾燥させる工程を必要としない。その結果、光源ユニット２００の製造時間の短縮化を図ることができる。
【０１１６】
続いて、図７を参照して本実施形態の第１カバー閉塞部材４ａを更に説明する。図７に示すように、支持部４２の第２凸部４２２は、傾斜面４２２ｓを有する。傾斜面４２２ｓは、第１ベース閉塞部３３１ａに対向する。傾斜面４２２ｓは、第１カバー閉塞部４１ａから離れるにつれて、第１ベース閉塞部３３１ａから遠ざかるように傾斜する。
【０１１７】
支持部４２が傾斜面４２２ｓを有することにより、光源ユニット２００をベースユニット３００に取り付ける際に、第１カバー閉塞部材４ａの支持部４２が傾斜面４２２ｓによって第１ベース閉塞部材３３０ａの収容空間Ｓ３に案内される。したがって、第１カバー閉塞部材４ａの支持部４２、第１押圧部材５ａ、及び第１対向部材７ａを、第１ベース閉塞部材３３０ａの収容空間Ｓ３に容易に収容することができる。その結果、光源ユニット２００をベースユニット３００に取り付ける作業が容易となる。
【０１１８】
なお、第２カバー閉塞部材４ｂの支持部４２も、第１カバー閉塞部材４ａと同様に傾斜面４２２ｓを有する。したがって、第２カバー閉塞部材４ｂの支持部４２、第２押圧部材５ｂ、及び第２対向部材７ｂを第２ベース閉塞部材３３０ｂの収容空間Ｓ３に容易に収容することができる。
【０１１９】
続いて、図４を参照して本実施形態の第２対向部材７ｂを更に説明する。図４に示すように、第２対向部材７ｂは、上方へ延びる第１ガイド部７２１及び第２ガイド部７２２を更に有する。具体的には、第１ガイド部７２１及び第２ガイド部７２２は、本体部７１よりも上方へ突出する。
【０１２０】
第１ガイド部７２１及び第２ガイド部７２２は、前後方向において対向する。具体的には、第１ガイド部７２１及び第２ガイド部７２２は、前後方向において本体部７１を挟むように配置される。詳しくは、第１ガイド部７２１は、本体部７１の後側面に連結する。第２ガイド部７２２は、本体部７１の前側面に連結する。
【０１２１】
本実施形態によれば、第１ガイド部７２１及び第２ガイド部７２２が本体部７１よりも上方へ突出するため、光源ユニット２００をベースユニット３００に取り付ける際に、作業者は、第２対向部材７ｂの第１ガイド部７２１及び第２ガイド部７２２を視認することができる。したがって、作業者は、第２対向部材７ｂの第１ガイド部７２１及び第２ガイド部７２２を目印として、光源ユニット２００の右側の端部をベースユニット３００の右側の端部に位置合わせすることができる。その結果、光源ユニット２００の右側の端部をベースユニット３００の右側の端部に容易に位置合わせすることができる。
【０１２２】
なお、第１対向部材７ａも、第２対向部材７ｂと同様に、第１ガイド部７２１及び第２ガイド部７２２を有する。したがって、作業者は、第１対向部材７ａの第１ガイド部７２１及び第２ガイド部７２２を目印として、光源ユニット２００の左側の端部をベースユニット３００の左側の端部に位置合わせすることができる。その結果、光源ユニット２００の左側の端部をベースユニット３００の左側の端部に容易に位置合わせすることができる。
【０１２３】
続いて図５を参照して、本実施形態の第１ベース閉塞部材３３０ａを更に説明する。図５に示すように、第１ベース閉塞部材３３０ａは、第１位置決め部３５０を有する。第１位置決め部３５０は、光源ユニット２００をベースユニット３００に取り付ける際に、図４を参照して説明した第１ガイド部７２１を位置決めする。
【０１２４】
具体的には、第１位置決め部３５０は、収容空間Ｓ３に設けられる。また、第１位置決め部３５０は、上下方向に延びる第１柱部３５１及び第２柱部３５２を有する。第１柱部３５１及び第２柱部３５２は、左右方向において対向する。本実施形態において、第１柱部３５１及び第２柱部３５２は後壁３４３に設けられる。詳しくは、第１柱部３５１及び第２柱部３５２は、後壁３４３の内壁面３４３ｓに設けられる。図４を参照して説明した第１ガイド部７２１は、光源ユニット２００をベースユニット３００に取り付ける際に、第１柱部３５１及び第２柱部３５２の間に位置決めされる。
【０１２５】
続いて図８及び図９を参照して、本実施形態の第１位置決め部３５０を更に説明する。図８は、本実施形態に係る第１ベース閉塞部材３３０ａの左側面を示す図である。図９は、図８のＩＸ−ＩＸ線に沿った第１ベース閉塞部材３３０ａの断面を示す図である。
【０１２６】
図９に示すように、第１柱部３５１の先端部は、傾斜面３５１ｓを有する。傾斜面３５１ｓは、第１柱部３５１の右側面に形成される。したがって、傾斜面３５１ｓは、第２柱部３５２と対向する。同様に、第２柱部３５２の先端部は、傾斜面３５２ｓを有する。傾斜面３５２ｓは、第２柱部３５２の左側面に形成される。したがって、傾斜面３５２ｓは、第１柱部３５１と対向する。
【０１２７】
第１柱部３５１が傾斜面３５１ｓを有し、第２柱部３５２が傾斜面３５２ｓを有することにより、光源ユニット２００をベースユニット３００に取り付ける際に、第１柱部３５１の傾斜面３５１ｓ及び第２柱部３５２の傾斜面３５２ｓによって、図４を参照して説明した第１ガイド部７２１が第１柱部３５１及び第２柱部３５２の間に案内される。したがって、第１カバー閉塞部材４ａの支持部４２、第１押圧部材５ａ、及び第１対向部材７ａを、第１ベース閉塞部材３３０ａの収容空間Ｓ３に容易に収容することができる。その結果、光源ユニット２００をベースユニット３００に取り付ける作業が容易となる。
【０１２８】
なお、第１ベース閉塞部材３３０ａは、図４を参照して説明した第２ガイド部７２２を位置決めする第２位置決め部３６０（図１０）を更に有する。第２位置決め部３６０（図１０）は、第１嵌入部３４０ａ（第１ベース閉塞部材３３０ａ）の前壁３４２の内壁面に設けられる。第２ベース閉塞部材３３０ｂも、第１ベース閉塞部材３３０ａと同様に、第１位置決め部３５０及び第２位置決め部３６０を有する。
【０１２９】
続いて図１０を参照して、第２ガイド部７２２及び第２位置決め部３６０について説明する。図１０は、本実施形態に係る照明器具１００の左側の端部の断面を示す図である。詳しくは、図１０は、図６のＸ−Ｘ線に沿った照明器具１００の断面を示す。
【０１３０】
図１０に示すように、第２位置決め部３６０は、第１位置決め部３５０と同様に、上下方向に延びる第１柱部３６１及び第２柱部３６２を有する。第２ガイド部７２２は、光源ユニット２００をベースユニット３００に取り付ける際に、第１柱部３６１及び第２柱部３６２の間に位置決めされる。詳しくは、第２ガイド部７２２の最大幅Ｌ３は、左右方向における第１柱部３６１と第２柱部３６２との間隔に対応する。したがって、第２ガイド部７２２は、第１柱部３６１及び第２柱部３６２によって位置決めされる。
【０１３１】
なお、第１ガイド部７２１の最大幅Ｌ３は、第２ガイド部７２２と同様に、左右方向における第１柱部３５１と第２柱部３５２との間隔に対応する。したがって、第１ガイド部７２１は、第１柱部３５１及び第２柱部３５２によって位置決めされる。
【０１３２】
続いて図１０を参照して、第２ガイド部７２２を更に説明する。図１０に示すように、第２ガイド部７２２の上部７２２ａは側面視三角形状である。したがって、光源ユニット２００をベースユニット３００に取り付ける際に、第２ガイド部７２２が第１柱部３６１及び第２柱部３６２に干渉し難い。その結果、光源ユニット２００をベースユニット３００に取り付ける作業が容易となる。
【０１３３】
第１ガイド部７２１の上部も、第２ガイド部７２２の上部７２２ａと同様に、側面視三角形状である（図４）。したがって、光源ユニット２００をベースユニット３００に取り付ける際に、第１ガイド部７２１が第１柱部３５１及び第２柱部３５２に干渉し難い。その結果、光源ユニット２００をベースユニット３００に取り付ける作業が容易となる。
【０１３４】
なお、第２ガイド部７２２の上部７２２ａの形状は、側面視三角形状に限定されない。第２ガイド部７２２の上部７２２ａの形状は、第２ガイド部７２２が第１柱部３６１及び第２柱部３６２に干渉し難い形状であればよい。例えば、第２ガイド部７２２の上部７２２ａの形状は、側面視半円形状又は側面視円弧形状であってもよい。
【０１３５】
同様に、第１ガイド部７２１の上部の形状は、側面視三角形状に限定されない。第１ガイド部７２１の上部の形状は、第１ガイド部７２１が第１柱部３５１及び第２柱部３５２に干渉し難い形状であればよい。例えば、第１ガイド部７２１の上部の形状は、側面視半円形状又は側面視円弧形状であってもよい。
【０１３６】
続いて、図１１を参照して本実施形態の取付金具１３及び保持金具３２０を説明する。図１１（ａ）は、本実施形態に係る照明器具１００の左側の端部を示す図である。詳しくは、図１１（ａ）は、前側から見た照明器具１００の左側の端部を示す。図１１（ｂ）は、図１１（ａ）のＸＩＢ−ＸＩＢ線に沿った照明器具１００の断面を示す図である。
【０１３７】
図１１（ｂ）に示すように、保持金具３２０は、第１保持弾性部３２１ａと、第２保持弾性部３２１ｂとを有する。第１保持弾性部３２１ａと第２保持弾性部３２１ｂとは、前後方向において対向する。具体的には、第１保持弾性部３２１ａは、第２保持弾性部３２１ｂよりも前側に配置される。第２保持弾性部３２１ｂは、第１保持弾性部３２１ａよりも後側に配置される。本実施形態において、第１保持弾性部３２１ａは、ベース部材３１０の前壁３１１に当接する。第２保持弾性部３２１ｂは、ベース部材３１０の後壁３１２に当接する。
【０１３８】
第１保持弾性部３２１ａの先端部３２２ａは後側に屈曲しており、弾性力を有する。第２保持弾性部３２１ｂの先端部３２２ｂは前側に屈曲しており、弾性力を有する。
【０１３９】
取付金具１３は、第１取付弾性部１３ａと、第２取付弾性部１３ｂとを有する。第１取付弾性部１３ａと、第２取付弾性部１３ｂとは前後方向において対向する。具体的には、第１取付弾性部１３ａは、第２取付弾性部１３ｂよりも前側に配置される。第２取付弾性部１３ｂは、第１取付弾性部１３ａよりも後側に配置される。
【０１４０】
第１取付弾性部１３ａは後側に向かって湾曲しており、弾性を有する。第２取付弾性部１３ｂは前側に向かって湾曲しており、弾性を有する。光源ユニット２００をベースユニット３００に取り付けると、第１取付弾性部１３ａ及び第２取付弾性部１３ｂは、保持金具３２０の内側に嵌る。
【０１４１】
具体的には、第１取付弾性部１３ａ及び第２取付弾性部１３ｂが保持金具３２０の内側に嵌る際に、第１取付弾性部１３ａ、第２取付弾性部１３ｂ、第１保持弾性部３２１ａ、及び第２保持弾性部３２１ｂは、弾性変形する。第１取付弾性部１３ａ及び第２取付弾性部１３ｂが保持金具３２０の内側に嵌ると、第１取付弾性部１３ａは、第１保持弾性部３２１ａの先端部３２２ａに当接する。第２取付弾性部１３ｂは、第２保持弾性部３２１ｂの先端部３２２ｂに当接する。
【０１４２】
第１取付弾性部１３ａは弾性を有するため、第１取付弾性部１３ａから第１保持弾性部３２１ａの先端部３２２ａに向かって付勢力が作用する。第１保持弾性部３２１ａも弾性を有するため、第１保持弾性部３２１ａの先端部３２２ａから第１取付弾性部１３ａに向かって付勢力が作用する。同様に、第２取付弾性部１３ｂは弾性を有するため、第２取付弾性部１３ｂから第２保持弾性部３２１ｂの先端部３２２ｂに向かって付勢力が作用する。第２保持弾性部３２１ｂも弾性を有するため、第２保持弾性部３２１ｂの先端部３２２ｂから第２取付弾性部１３ｂに向かって付勢力が作用する。その結果、保持金具３２０が取付金具１３を保持する。
【０１４３】
以上、図面を参照して本発明の実施形態について説明した。ただし、本発明は、上記の実施形態に限られるものではなく、その要旨を逸脱しない範囲で種々の態様において実施できる。また、上記の実施形態に開示される複数の構成要素は適宜改変可能である。
【０１４４】
また、図面は、発明の理解を容易にするために、それぞれの構成要素を主体に模式的に示しており、図示された各構成要素の厚さ、長さ、個数、間隔等は、図面作成の都合上から実際とは異なる場合もある。また、上記の実施形態で示す各構成要素の構成は一例であって、特に限定されるものではなく、本発明の効果から実質的に逸脱しない範囲で種々の変更が可能であることは言うまでもない。
【０１４５】
例えば、本発明による実施形態において、照明器具１００の右側の端部と照明器具１００の左側の端部とは同様の構成を有したが、照明器具１００の右側の端部と照明器具１００の左側の端部とは異なる構成を有してもよい。
【０１４６】
具体的には、本発明による実施形態において、照明器具１００は、第１カバー閉塞部材４ａと、第１押圧部材５ａと、第１規制部６ａと、第１ベース閉塞部材３３０ａと、第２カバー閉塞部材４ｂと、第２押圧部材５ｂと、第２規制部６ｂと、第２ベース閉塞部材３３０ｂとを備えたが、第２カバー閉塞部材４ｂ、第２押圧部材５ｂ、第２規制部６ｂ、及び第２ベース閉塞部材３３０ｂは省略されてもよい。あるいは、第１カバー閉塞部材４ａ、第１押圧部材５ａ、第１規制部６ａ、及び第１ベース閉塞部材３３０ａが省略されてもよい。例えば、２つの照明器具１００を左右方向に沿って連結する場合、左側に配置される照明器具１００において、第２カバー閉塞部材４ｂ、第２押圧部材５ｂ、第２規制部６ｂ、及び第２ベース閉塞部材３３０ｂは省略される。右側に配置される照明器具１００において、第１カバー閉塞部材４ａ、第１押圧部材５ａ、第１規制部６ａ、及び第１ベース閉塞部材３３０ａは省略される。
【０１４７】
また、本発明による実施形態において、光源１１は、発光素子としてＬＥＤ素子を有したが、発光素子は、光を発光する素子であればよく、ＬＥＤ素子に限定されない。例えば、発光素子は、有機ＥＬ（ｅｌｅｃｔｒｏ−ｌｕｍｉｎｅｓｃｅｎｃｅ）素子であってもよい。
【０１４８】
また、本発明による実施形態において、発光部１は、第１発光モジュール１ａと、第２発光モジュール１ｂとを有したが、発光部１は、発光モジュールを１つ有してもよいし、３つ以上有してもよい。
【０１４９】
また、本発明による実施形態において、光源ユニット２００は、端子台９を１つ有したが、光源ユニット２００は端子台９を２つ有してもよい。この場合、２つの端子台９のうちの一方は、電源装置１０の左側に配置され、２つの端子台９のうちの他方は、電源装置１０の右側に配置される。換言すると、２つの端子台９は、電源装置１０を挟むように配置される。なお、２つの端子台９のうちの一方は、外部電力線（送り電力線）を介して、他の照明器具の端子台と電気的に接続してもよい。
【０１５０】
また、本発明による実施形態において、光源ユニット２００は取付金具１３を２つ有したが、光源ユニット２００は、取付金具１３を１つ有してもよいし、３つ以上有してもよい。
【０１５１】
また、本発明による実施形態において、第１規制部６ａは、第１対向部材７ａと、第１締結部材８ａとを有したが、第１規制部６ａの構成は、第１押圧部材５ａの第１方向Ｄ１（左側）への移動を規制できる限り、特に限定されない。例えば、第１対向部材７ａは省略されてもよい。この場合、第１締結部材８ａは、第１押圧部材５ａに挿通されて、フレーム部材２に締結されてもよい。
【０１５２】
同様に、本発明による実施形態において、第２規制部６ｂは、第２対向部材７ｂと、第２締結部材８ｂとを有したが、第２規制部６ｂの構成は、第２押圧部材５ｂの第２方向Ｄ２（右側）への移動を規制できる限り、特に限定されない。例えば、第２対向部材７ｂは省略されてもよい。この場合、第２締結部材８ｂは、第２押圧部材５ｂに挿通されて、フレーム部材２に締結されてもよい。
【０１５３】
また、本発明による実施形態において、第１押圧部材５ａは樹脂製の弾性部材であったが、第１押圧部材５ａは、弾性を有する限り、樹脂製の弾性部材に限定されない。例えば、第１押圧部材５ａは、板バネ、又は圧縮コイルバネであってもよい。
【０１５４】
同様に、本発明による実施形態において、第２押圧部材５ｂは樹脂製の弾性部材であったが、第２押圧部材５ｂは、弾性を有する限り、樹脂製の弾性部材に限定されない。例えば、第２押圧部材５ｂの材料は、板バネ、又は圧縮コイルバネであってもよい。
【０１５５】
また、本発明による実施形態において、第１カバー閉塞部材４ａは、対向部として第１凸部４２１を有したが、第１カバー閉塞部材４ａの対向部は、第１押圧部材５ａよりも第２方向Ｄ２側に位置して第１押圧部材５ａと対向する限り、第１凸部４２１に限定されない。例えば、第１カバー閉塞部材４ａの支持部４２が、左右方向及び前後方向に縁を有する凹部を有し、第１押圧部材５ａ及び第１対向部材７ａがその凹部に嵌合されてもよい。この場合、凹部を構成する第２方向Ｄ２側の内壁面が対向部として機能する。
【０１５６】
同様に、本発明による実施形態において、第２カバー閉塞部材４ｂは、対向部として第１凸部４２１を有したが、第２カバー閉塞部材４ｂの対向部は、第２押圧部材５ｂよりも第１方向Ｄ１側に位置して第２押圧部材５ｂと対向する限り、第１凸部４２１に限定されない。例えば、第２カバー閉塞部材４ｂの支持部４２が、左右方向及び前後方向に縁を有する凹部を有し、第２押圧部材５ｂ及び第２対向部材７ｂがその凹部に嵌合されてもよい。この場合、凹部を構成する第１方向Ｄ１側の内壁面が対向部として機能する。
【０１５７】
また、本発明による実施形態において、第１押圧部材５ａは第１カバー閉塞部材４ａの第１凸部４２１（対向部）と常に接したが、第１押圧部材５ａは第１カバー閉塞部材４ａの第１凸部４２１（対向部）と常に接していなくてもよい。少なくとも、第１押圧部材５ａは、カバー部材３の左側の端部が第１方向Ｄ１へ伸長して第１カバー閉塞部材４ａが第１方向Ｄ１へ移動した際に、第１カバー閉塞部材４ａの第１凸部４２１（対向部）と接すればよい。
【０１５８】
同様に、本発明による実施形態において、第２押圧部材５ｂは第２カバー閉塞部材４ｂの第１凸部４２１（対向部）と常に接したが、第２押圧部材５ｂは第２カバー閉塞部材４ｂの第１凸部４２１（対向部）と常に接していなくてもよい。少なくとも、第２押圧部材５ｂは、カバー部材３の右側の端部が第２方向Ｄ２へ伸長して第２カバー閉塞部材４ｂが第２方向Ｄ２へ移動した際に、第２カバー閉塞部材４ｂの第１凸部４２１（対向部）と接すればよい。
【０１５９】
また、本発明による実施形態において、第１対向部材７ａは第１ガイド部７２１及び第２ガイド部７２２を有したが、第１対向部材７ａは、第１ガイド部７２１及び第２ガイド部７２２のうちの一方のみを有してもよい。この場合、第１ベース閉塞部材３３０ａの第１位置決め部３５０及び第２位置決め部３６０の一方は省略され得る。
【０１６０】
同様に、本発明による実施形態において、第２対向部材７ｂは第１ガイド部７２１及び第２ガイド部７２２を有したが、第２対向部材７ｂは、第１ガイド部７２１及び第２ガイド部７２２のうちの一方のみを有してもよい。この場合、第２ベース閉塞部材３３０ｂの第１位置決め部３５０及び第２位置決め部３６０の一方は省略され得る。
【０１６１】
また、本発明による実施形態において、第１位置決め部３５０は、第１柱部３５１及び第２柱部３５２を有したが、第１位置決め部３５０は、第１柱部３５１及び第２柱部３５２のうちの一方のみを有してもよい。
【０１６２】
同様に、本発明による実施形態において、第２位置決め部３６０は、第１柱部３６１及び第２柱部３６２を有したが、第２位置決め部３６０は、第１柱部３６１及び第２柱部３６２のうちの一方のみを有してもよい。
【０１６３】
また、本発明による実施形態において、第１位置決め部３５０の第１柱部３５１及び第２柱部３５２は、第１嵌入部３４０ａ（第１ベース閉塞部材３３０ａ）の後壁３４３の内壁面３４３ｓに設けられたが、第１位置決め部３５０の第１柱部３５１及び第２柱部３５２は、第１嵌入部３４０ａ（第１ベース閉塞部材３３０ａ）の後壁３４３の内壁面３４３ｓから離れた位置に設けられてもよい。この場合、第１位置決め部３５０の第１柱部３５１及び第２柱部３５２の基部は、上壁３４１の内壁面３４１ｓ（図５）に接続してもよい。
【０１６４】
同様に、本発明による実施形態において、第２位置決め部３６０の第１柱部３６１及び第２柱部３６２は、第１嵌入部３４０ａ（第１ベース閉塞部材３３０ａ）の前壁３４２の内壁面に設けられたが、第２位置決め部３６０の第１柱部３６１及び第２柱部３６２は、第１嵌入部３４０ａ（第１ベース閉塞部材３３０ａ）の前壁３４２の内壁面から離れた位置に設けられてもよい。この場合、第２位置決め部３６０の第１柱部３６１及び第２柱部３６２の基部は、上壁３４１の内壁面３４１ｓ（図５）に接続してもよい。
【０１６５】
また、本発明による実施形態において、取付金具１３及び保持金具３２０は共に弾性を有したが、取付金具１３及び保持金具３２０のうちの一方のみが弾性を有してもよい。
【産業上の利用可能性】
【０１６６】
本発明は、照明器具に有用である。
【符号の説明】
【０１６７】
１        発光部
２        フレーム部材
３        カバー部材
３ａ      第１カバー開口端
３ｂ      第２カバー開口端
４ａ      第１カバー閉塞部材
４ｂ      第２カバー閉塞部材
５ａ      第１押圧部材
５ｂ      第２押圧部材
６ａ      第１規制部
６ｂ      第２規制部
７ａ      第１対向部材
７ｂ      第２対向部材
８ａ      第１締結部材
８ｂ      第２締結部材
４１ａ    第１カバー閉塞部
４１ｂ    第２カバー閉塞部
４２      支持部
４２Ｈ    長穴
７１      本体部
３１０    ベース部材
３１０ａ  第１ベース開口端
３１０ｂ  第２ベース開口端
３３０ａ  第１ベース閉塞部材
３３０ｂ  第２ベース閉塞部材
３３１ａ  第１ベース閉塞部
３３１ｂ  第２ベース閉塞部
３５０    第１位置決め部
３６０    第２位置決め部
４２１    第１凸部（対向部）
７２１    第１ガイド部
７２２    第２ガイド部
Ｄ１      第１方向
Ｄ２      第２方向
【図１】
2020184492.tif 000003
【図２】
2020184492.tif 000004
【図３】
2020184492.tif 000005
【図４】
2020184492.tif 000006
【図５】
2020184492.tif 000007
【図６】
2020184492.tif 000008
【図７】
2020184492.tif 000009
【図８】
2020184492.tif 000010
【図９】
2020184492.tif 000011
【図１０】
2020184492.tif 000012
【図１１】
2020184492.tif 000013